(57)【要約】【課題】相手が出るのを待たなければならない等の煩わしさが伴うことなく、気軽にコミュニケーションを取ることが可能になる通信装置を提供する。【解決手段】予め通話許可されている相手に電話を掛ける際、［呼びかけモード］ボタンＣｍを選択して発信すると、相手の携帯端末１０Ｂでは、着信音が鳴動せずに受話動作のみで回線接続され、発信元から呼びかけられた音声「おじいちゃん、おばあちゃん、いってきま〜す」が直ちに出力されると共に、呼びかけモードの着信中である旨を表記した［着信中：呼びかけモード］ボタンＲＣが表示される。相手端末１０Ｂにおいて［着信中：呼びかけモード］ボタンＲＣが押下されると、両端末１０Ａ，１０Ｂにおいて相互通話が可能になる。相手が電話に出るまで待ち続ける必要なく、例えば朝晩や外出・帰宅時の呼びかけができるので、遠隔地の家族に対しても気軽にコミュニケーションが取れる。【選択図】      図５
2014023049.tif 000002
【特許請求の範囲】
【請求項１】
通話機能を備えた通信装置であって、
他の通信装置を指定して発信する発信手段と、
この発信手段による発信に応じて前記他の通信装置から返信された応答を受信する応答受信手段と、
ユーザの音声を入力する音声入力手段と、
前記応答受信手段により前記他の通信装置から返信された応答が受信された後、前記音声入力手段により入力された音声を前記他の通信装置の着信音として送信する着信音声送信手段と、
を備えたことを特徴とする通信装置。
【請求項２】
通話機能を備えた通信装置であって、
他の通信装置の発信手段により発信された呼びかけ通話の要求を受信する要求受信手段と、
この要求受信手段により呼びかけ通話の要求が受信された場合に、前記他の通信装置へ当該呼びかけ通話の要求の応答を返信する呼びかけ応答返信手段と、
この呼びかけ応答返信手段により呼びかけ通話の要求の応答を返信した後に、前記他の通信装置から送信された音声を受信し着信音として出力する着信音声出力手段と、
を備えたことを特徴とする通信装置。
【請求項３】
通話機能を備えた通信装置であって、
他の通信装置を指定して呼びかけ通話の要求を発信する発信手段と、
他の通信装置の発信手段により発信された呼びかけ通話の要求を受信する要求受信手段と、
この要求受信手段により呼びかけ通話の要求が受信された場合に、要求発信元の他の通信装置へ当該呼びかけ通話の要求の応答を返信する呼びかけ応答返信手段と、
他の通信装置の呼びかけ応答返信手段により返信された呼びかけ通話の要求の応答を受信する応答受信手段と、
ユーザの音声を入力する音声入力手段と、
前記応答受信手段により他の通信装置から返信された呼びかけ通話の要求の応答を受信した後に、前記音声入力手段により入力された音声を前記他の通信装置の着信音として送信する着信音声送信手段と、
前記呼びかけ応答返信手段により呼びかけ通話の要求の応答を返信した後に、前記要求発信元の他の通信装置の着信音声送信手段により送信された音声を受信し、着信音として出力する着信音声出力手段と、
を備えたことを特徴とする通信装置。
【請求項４】
前記音声入力手段により入力された音声の区切りを検出する音声区切り検出手段を備え、
前記着信音声送信手段は、
前記応答受信手段により前記他の通信装置から返信された応答が受信された後、前記音声入力手段により入力された音声を前記他の通信装置の着信音として送信する入力音声送信手段と、
この入力音声送信手段により前記音声入力手段により入力された音声を前記他の通信装置の着信音として送信するのに伴い、前記音声区切り検出手段により音声の区切りが検出された一区切りの音声を記憶する音声記憶手段と、
この音声記憶手段により記憶された一区切りの音声を前記他の通信装置の着信音として繰り返し送信する繰り返し音声送信手段と、
有することを特徴とする請求項１または請求項３に記載の通信装置。
【請求項５】
前記繰り返し音声送信手段により前記音声記憶手段により記憶された一区切りの音声を前記他の通信装置の着信音として繰り返し送信している際に、前記音声入力手段により新たな音声が入力された場合には、当該新たに入力された音声を前記入力音声送信手段により前記他の通信装置の着信音として送信する、
ことを特徴とする請求項４に記載の通信装置。
【請求項６】
前記呼びかけ応答返信手段は、
前記要求受信手段により呼びかけ通話の要求が受信された場合に、予め記憶された発信元情報に基づき要求発信元を認証する発信元認証手段を有し、
この発信元認証手段により要求発信元が認証された場合に、当該要求発信元の他の通信装置へ呼びかけ通話の要求の応答を返信する、
ことを特徴とする請求項２または請求項３に記載の通信装置。
【請求項７】
通話機能を備えた通信装置のコンピュータを制御するためのプログラムであって、
前記コンピュータを、
他の通信装置を指定して発信する発信手段と、
この発信手段による発信に応じて前記他の通信装置から返信された応答を受信する応答受信手段と、
ユーザの音声を入力する音声入力手段と、
前記応答受信手段により前記他の通信装置から返信された応答が受信された後、前記音声入力手段により入力された音声を前記他の通信装置の着信音として送信する着信音声送信手段、
として機能させるためのプログラム。
【請求項８】
通話機能を備えた通信装置のコンピュータを制御するためのプログラムであって、
前記コンピュータを、
他の通信装置の発信手段により発信された呼びかけ通話の要求を受信する要求受信手段と、
この要求受信手段により呼びかけ通話の要求が受信された場合に、前記他の通信装置へ当該呼びかけ通話の要求の応答を返信する呼びかけ応答返信手段と、
この呼びかけ応答返信手段により呼びかけ通話の要求の応答を返信した後に、前記他の通信装置から送信された音声を受信し着信音として出力する着信音声出力手段、
として機能させるためのプログラム。
【請求項９】
通話機能を備えた通信装置のコンピュータを制御するためのプログラムであって、
前記コンピュータを、
他の通信装置を指定して呼びかけ通話の要求を発信する発信手段と、
他の通信装置の発信手段により発信された呼びかけ通話の要求を受信する要求受信手段と、
この要求受信手段により呼びかけ通話の要求が受信された場合に、要求発信元の他の通信装置へ当該呼びかけ通話の要求の応答を返信する呼びかけ応答返信手段と、
他の通信装置の呼びかけ応答返信手段により返信された呼びかけ通話の要求の応答を受信する応答受信手段と、
ユーザの音声を入力する音声入力手段と、
前記応答受信手段により他の通信装置から返信された呼びかけ通話の要求の応答を受信した後に、前記音声入力手段により入力された音声を前記他の通信装置の着信音として送信する着信音声送信手段と、
前記呼びかけ応答返信手段により呼びかけ通話の要求の応答を返信した後に、前記要求発信元の他の通信装置の着信音声送信手段により送信された音声を受信し、着信音として出力する着信音声出力手段、
として機能させるためのプログラム。
【発明の詳細な説明】
【技術分野】
【０００１】
本発明は、通話機能を備えた通信装置およびその制御プログラムに関する。
【背景技術】
【０００２】
固定電話、携帯電話、テレビ電話等、人と人のコミュニケーションの為の様々な通信装置が普及している。これらの通信装置が普及したことで、離れている人同士でもコミュニケーションが取りやすくなった。例えば、離れて暮らす家族間では、遠隔地の家族と近況状況を報告し合ったり、悩み事を相談したりできる。
【０００３】
従来の通信装置において、複数の相手先番号とその相手先名称とを対応付けて登録した電話帳情報を表示させ、任意の１つの相手先名称を指定することで、発呼先を容易に選択可能な発呼先選択装置が考えられている（例えば、特許文献１参照。）。
【先行技術文献】
【特許文献】
【０００４】
【特許文献１】特開２００１−１１１６７４号公報
【発明の概要】
【発明が解決しようとする課題】
【０００５】
ここで、家族間のコミュニケーションについて考えてみる。
【０００６】
前述したような通信装置が普及した環境であっても、離れて暮らしている場合と、同居している場合とでは、コミュニケーションに大きな違いがある。
【０００７】
例えば、同居している場合には普通に行われる朝晩や外出・帰宅時の会話（「おはよう」「おやすみ」「いってきます」「いってらっしゃい」「ただいま！」「おかえり！」）のような短い会話は、離れた家族間ではほとんど行われない。
【０００８】
通常電話では、相手が在宅か不在かが分からない状態で発信し、相手が電話に出るまで待ち続けなければならない。このことは、挨拶のような短い会話の為に電話をした場合に非常に煩わしく、コミュニケーションの機会が失われる一因と考えられる。
【０００９】
本発明は、このような課題に鑑みてなされたもので、相手が出るのを待たなければならない等の煩わしさが伴うことなく、気軽にコミュニケーションを取ることが可能になる通信装置およびその制御プログラムを提供することを目的とする。
【課題を解決するための手段】
【００１０】
本発明に係る通信装置は、通話機能を備えた通信装置であって、他の通信装置を指定して発信する発信手段と、この発信手段による発信に応じて前記他の通信装置から返信された応答を受信する応答受信手段と、ユーザの音声を入力する音声入力手段と、前記応答受信手段により前記他の通信装置から返信された応答が受信された後、前記音声入力手段により入力された音声を前記他の通信装置の着信音として送信する着信音声送信手段と、を備えたことを特徴としている。
【発明の効果】
【００１１】
本発明によれば、相手が出るのを待たなければならない等の煩わしさが伴うことなく、気軽にコミュニケーションを取ることが可能になる通信装置およびその制御プログラムを提供できる。
【図面の簡単な説明】
【００１２】
【図１】本発明の通信装置の実施形態に係るタッチパネル式携帯端末（携帯電話）１０Ａ／１０Ｂの電子回路の構成を示すブロック図。
【図２】前記携帯端末（携帯電話）１０Ａを発信側とし他の携帯端末（携帯電話）１０Ｂを着信側とした場合の通常モード処理を示すシーケンス図。
【図３】前記通常モード処理に伴う発信側携帯端末１０Ａと着信側携帯端末１０Ｂの表示動作を示す図。
【図４】前記携帯端末（携帯電話）１０Ａを発信側とし他の携帯端末（携帯電話）１０Ｂを着信側とした場合の第１実施形態の呼びかけモード処理を示すシーケンス図。
【図５】前記第１実施形態の呼びかけモード処理に伴う発信側携帯端末１０Ａと着信側携帯端末１０Ｂの表示動作を示す図。
【図６】前記携帯端末（携帯電話）１０Ａを発信側とし他の携帯端末（携帯電話）１０Ｂを着信側とした場合の第２実施形態の呼びかけモード処理を示すシーケンス図。
【図７】前記第２実施形態の呼びかけモード処理（変形例）に伴う発信側携帯端末１０Ａと着信側携帯端末１０Ｂの表示動作を示す図。
【図８】前記携帯端末（携帯電話）１０Ａを発信側とし他の携帯端末（携帯電話）１０Ｂを着信側とした場合の第３実施形態の呼びかけモード処理に伴う呼びかけ音声リピート機能（その１）を説明する図。
【図９】前記携帯端末（携帯電話）１０Ａを発信側とし他の携帯端末（携帯電話）１０Ｂを着信側とした場合の第３実施形態の呼びかけモード処理に伴う呼びかけ音声リピート機能（その２）を説明する図。
【発明を実施するための形態】
【００１３】
以下図面により本発明の実施の形態について説明する。
【００１４】
図１は、本発明の通信装置の実施形態に係るタッチパネル式携帯端末（携帯電話）１０Ａ／１０Ｂの電子回路の構成を示すブロック図である。
【００１５】
なお、この通信装置の実施形態は、タッチパネル式携帯端末（携帯電話）１０Ａ／１０Ｂに限らず、固定電話、他の携帯電話、テレビ電話等、通話機能を備えた電子機器であれば何れも実施可能である。
【００１６】
前記タッチパネル式携帯端末（携帯電話）１０Ａ／１０Ｂの電子回路は、コンピュータである制御部（ＣＰＵ）１１を備えている。
【００１７】
制御部（ＣＰＵ）１１は、記憶装置１２に予め記憶されているシステムプログラムや端末制御プログラム１２ａ，１２ｂ，１２ｃ、あるいはメモリカードなどの外部記憶媒体１３から記憶媒体読み込み部１４を介して記憶装置１２に読み込まれた端末制御プログラム１２ａ，１２ｂ，１２ｃ、あるいは通信ネットワークＮ上のＷｅｂサーバ（プログラムサーバ）２０から通信制御部１５を介してダウンロードされ前記記憶装置１２に読み込まれた端末制御プログラム１２ａ，１２ｂ，１２ｃに従い、ＲＡＭ１６を作業用メモリとして回路各部の動作を制御する。そして、前記記憶装置１２に記憶されたシステムプログラムや端末制御プログラム１２ａ，１２ｂ，１２ｃは、キー入力部１７からのキー入力信号、タッチパネル付き表示部１８からのタッチ入力信号、音声入出力部１９からの音声入力信号、通信ネットワークＮから通信制御部１５に受信される他の携帯端末（携帯電話）１０ＢやＷｅｂサーバ２０からの通信信号に応じて起動される。ここで、キー入力部１７は、電源キー、音量キー、数字キー等を備える。音声入出力部１９は、通話に伴い入力されたアナログ音声をデジタル信号に変換しＣＰＵ１１に出力したり、相手の携帯端末（携帯電話）１０Ｂから通信制御部１５を介してＣＰＵ１１に受信されたデジタル信号をアナログ音声に変換して出力したりする。
【００１８】
前記記憶装置１２に記憶される端末制御プログラム１２ａ，１２ｂ，１２ｃには、メールやＷｅｂブラウザ等を制御する各種アプリケーションの端末制御プログラム１２ａの他に、電話機能により通常の通話（通常モード）を実行するための通常通話処理プログラム１２ｂ、呼びかけの通話（呼びかけモード）を実行するための呼びかけ通話処理プログラム１２ｃが含まれる。
【００１９】
ＲＡＭ１６には、表示データメモリ１６ａ、通話モードデータメモリ１６ｂ、発信元番号データメモリ１６ｃ、呼びかけ認証用発信元データメモリ１６ｄの他、各種の処理に伴い制御部１１に入出力される種々のデータが必要に応じて記憶される作業用データメモリが確保される。
【００２０】
なお、通話時間設定データメモリ１６ｅ、通話時間カウントデータメモリ１６ｆについては、後述の第２実施形態において、音声データメモリ１６ｇについては、後述の第３実施形態において説明する。
【００２１】
表示データメモリ１６ａには、タッチパネル付き表示部１８に表示させるための表示画面サイズで生成されたビットマップパターンのデータが記憶される。
【００２２】
通話モードデータメモリ１６ｂには、ユーザ操作に応じて選択された通常モードのデータか、又は呼びかけモードのデータが記憶される。
【００２３】
発信元番号データメモリ１６ｃには、着信に伴い発信側の携帯端末１０Ｂから通知された発信元の電話番号のデータが記憶される。
【００２４】
呼びかけ認証用発信元データメモリ１６ｄには、呼びかけモードでの通話を許可する知人、友人等の携帯端末１０Ｂ…の電話番号のデータが、ユーザ操作に応じて予め記憶され登録される。
【００２５】
このように構成されたタッチパネル式携帯端末（携帯電話）１０Ａ／１０Ｂは、ＣＰＵ１１が前記端末制御プログラム１２ａ，１２ｂ，１２ｃに記述された命令に従い回路各部の動作を制御し、ソフトウエアとハードウエアとが協働して動作することにより、以下の動作説明で述べる通常通話機能および呼びかけ通話機能を実現する。
【００２６】
次に、前記構成のタッチパネル式携帯端末（携帯電話）１０Ａ／１０Ｂの動作について説明する。
【００２７】
（通常モード処理）
図２は、前記携帯端末（携帯電話）１０Ａを発信側とし他の携帯端末（携帯電話）１０Ｂを着信側とした場合の通常モード処理を示すシーケンス図である。
【００２８】
図３は、前記通常モード処理に伴う発信側携帯端末１０Ａと着信側携帯端末１０Ｂの表示動作を示す図である。
【００２９】
携帯端末１０Ａにおいて、端末制御プログラム１２ａに従い電話機能のアプリケーションが起動されると、図３（Ａ）に示すように、タッチパネル付き表示部１８には［通常モード］ボタンＮｍと［呼びかけモード］ボタンＣｍが表示される。
【００３０】
ユーザＡ（Ｕａ）により前記タッチパネル付き表示部１８に表示された［通常モード］ボタンＮｍが押下され、キー入力部１７の数字キーにより入力されるか、表示部１８に選択的に表示させたユーザＢ（Ｕｂ）（携帯端末１０Ｂ）の電話番号（図示せず）が押下されると（ステップＡ１）、通常通話処理プログラム１２ｂに従い、携帯端末１０Ａから携帯端末１０Ｂへ通常通話要求が発信される（ステップＡ２）。
【００３１】
携帯端末１０Ｂにおいて、前記通常通話要求が受信されると、通常通話処理プログラム１２ｂに従い、図３（Ｂ）に示すように、通常モードの着信中である旨を表記した［着信中：通常モード］ボタンＲＮが表示される（ステップＢ１）。なお、図３（Ｂ）の着信側携帯端末１０Ｂでは発信者番号を表示させていないが、表示させてもよい。
【００３２】
さて、着信側携帯端末１０Ｂにおいて、図３（Ｃ）に示すように、ユーザＢ（Ｕｂ）により［着信中：通常モード］ボタンＲＮが押下されると（ステップＢ２）、前記発信側携帯端末１０Ａに対して、通常通話要求応答が返信される（ステップＢ３）。
【００３３】
これにより、図３（Ｄ）に示すように、携帯端末１０Ａと携帯端末１０Ｂとの通話回線が開通して相互通話処理に移行され（ステップＡ３／Ｂ４）、ユーザＡ（Ｕａ）とユーザＢ（Ｕｂ）との会話が可能になる。
【００３４】
なお、前記図２、図３を参照した通常モードの動作説明では、ユーザＡ（Ｕａ）の携帯端末１０Ａから発信する場合について示したが、ユーザＢ（Ｕｂ）の携帯端末１０Ｂから発信する場合でも同様である。
【００３５】
（呼びかけモード処理：第１実施形態）
図４は、前記携帯端末（携帯電話）１０Ａを発信側とし他の携帯端末（携帯電話）１０Ｂを着信側とした場合の第１実施形態の呼びかけモード処理を示すシーケンス図である。
【００３６】
図５は、前記第１実施形態の呼びかけモード処理に伴う発信側携帯端末１０Ａと着信側携帯端末１０Ｂの表示動作を示す図である。
【００３７】
ユーザＡ（Ｕａ）の携帯端末１０Ａにおいて、例えば身内であるユーザＢ（Ｕｂ）に「おはよう」「いってきます」などの日々の挨拶をしたいときに、図５（Ａ）に示すように、タッチパネル付き表示部１８に表示された［呼びかけモード］ボタンＣｍが押下され、キー入力部１７の数字キーにより入力されるか、表示部１８に選択的に表示させたユーザＢ（Ｕｂ）（携帯端末１０Ｂ）の電話番号（図示せず）が押下されると（ステップＡ１）、呼びかけ通話処理プログラム１２ｃに従い、携帯端末１０Ａから携帯端末１０Ｂへ呼びかけ通話要求が発信される（ステップＡ２）。
【００３８】
携帯端末１０Ｂおいて、前記呼びかけ通話要求が受信されると、呼びかけ通話処理プログラム１２ｃに従い、発信側端末１０Ａの電話番号が発信元番号データメモリ１６ｃに記憶される共に、この発信元の電話番号が呼びかけ認証用発信元データメモリ１６ｄに登録されている電話番号と照合される（ステップＢ１）。
【００３９】
ここで、発信元の電話番号が呼びかけ認証用発信元データメモリ１６ｄに登録されている電話番号と一致することで同発信元が認証されると、図５（Ｂ）（Ｃ）に示すように、携帯端末１０Ａに対して、呼びかけ通話要求応答が返信されて回線接続されると共に（ステップＢ２）、呼びかけモードでの着信中である旨を表記した［着信中：呼びかけモード］ボタンＲＣが表示される（ステップＢ３）。この際、着信側携帯端末１０Ｂでは、受話音声の出力のみ可能な状態に設定され、音声の入力動作、送話動作は禁止される。
【００４０】
一方、前記着信側携帯端末１０Ｂにおいて、発信元の電話番号が呼びかけ認証用発信元データメモリ１６ｄに登録されている電話番号と一致せず同発信元が認証されない場合には、携帯端末１０Ａに対して呼びかけ通話要求拒否が返信され回線は接続されない。
【００４１】
なお、図５（Ｃ）の着信側携帯端末１０Ｂでは発信者番号を表示させていないが、表示させてもよい。
【００４２】
携帯端末１０Ａにおいて、前記携帯端末１０Ｂからの呼びかけ通話要求応答が受信されると、通話処理に移行されるが、ここでは送話動作のみ可能な状態に設定される（ステップＡ３）。
【００４３】
すなわち、呼びかけモードでの発信により着信側携帯端末１０Ｂと自動接続されると、当該着信側携帯端末１０Ｂでは着信音の鳴動はせずに受話動作のみの制限状態となり、また発信側端末装置１０Ａでは送話動作のみの制限状態となるもので、これにより、発信側のユーザＵａは、着信側のユーザＵｂの応答を待たずに、所望の音声（例えば「オーイ！今、居る〜？居るなら電話に出て〜！」「おはよう〜！起きてる〜？」「おじいちゃん、おばあちゃん、いってきま〜す」等）を送信し着信側の携帯端末１０Ｂにて出力させることができ、着信側のユーザＵｂ（例えば、祖父や祖母）は、あたかも同居している家族や孫子から呼び掛けられたようにして着信を知ることができる。
【００４４】
そして、着信側の携帯端末１０Ｂにおいて、ユーザＢ（Ｕｂ）がユーザＡ（Ｕａ）からの通話要求を受ける場合に、図５（Ｄ）に示すように、表示部１８に表示されている［着信中：呼びかけモード］ボタンＲＣが押下されると（ステップＢ４）、前記発信側携帯端末１０Ａに対して、通話開始応答が返信される（ステップＢ５）。
【００４５】
すると、図５（Ｅ）に示すように、携帯端末１０Ｂの送話動作の禁止状態が解除されると共に、携帯端末１０Ａの受話動作の禁止状態も解除されて相互通話処理に移行され（ステップＡ４／Ｂ６）、ユーザＡ（Ｕａ）とユーザＢ（Ｕｂ）との会話が可能になる。
【００４６】
なお、前記図４、図５を参照した呼びかけモードの動作説明では、ユーザＡ（Ｕａ）の携帯端末１０Ａから発信する場合について示したが、ユーザＢ（Ｕｂ）の携帯端末１０Ｂから発信する場合でも同様である。
【００４７】
したがって、前記構成のタッチパネル式携帯端末（携帯電話）１０Ａ／１０Ｂの第１実施形態の呼びかけ通話機能によれば、予め通話許可されている相手に電話を掛ける際に、呼びかけモードを選択して発信すると、相手の携帯端末（携帯電話）１０Ｂでは、着信音が鳴動せずに受話動作のみで回線接続され、発信元から呼びかけられた音声（例えば「おじいちゃん、おばあちゃん、いってきま〜す」）が直ちに出力されると共に、表示部１８に呼びかけモードの着信中である旨を表記した［着信中：呼びかけモード］ボタンＲＣが表示される。そして、相手端末１０Ｂにおいて、前記［着信中：呼びかけモード］ボタンＲＣが押下されると、両端末１０Ａ，１０Ｂにおいて相互通話が可能になる。
【００４８】
このため、相手が電話に出るまで待ち続ける必要なく、例えば朝晩や外出・帰宅時の呼びかけ（「おはよう」「おやすみ」「いってきます」「ただいま！」）ができるので、遠隔地の家族に対しても気軽にコミュニケーションを取ることができる。そして、相手端末では、必要に応じて［着信中：呼びかけモード］ボタンＲＣを押下しその応答（「いってらっしゃい」「おかえり！」）を返すことができる。
【００４９】
（呼びかけモード処理：第２実施形態）
この第２実施形態の呼びかけ通話機能では、着信側携帯端末１０Ｂにて［着信中：呼びかけモード］ボタンＲＣを押下し相互通話が可能な状態に移行した場合に、予め設定された一定の短時間のみ通話可能な状態にして回線切断する構成とする。これにより、呼びかけに伴う会話は短時間であることを規定して、より気軽にコミュニケーションが図れるようにする。
【００５０】
そして、この第２実施形態の呼びかけ通話機能では、図１に示すように、ＲＡＭ１６に確保する作業用データメモリとして、通話時間設定データメモリ１６ｅ、通話時間カウントダウンデータメモリ１６ｆを追加する。
【００５１】
通話時間設定データメモリ１６ｅには、前記呼びかけモードから相互通話可能な状態に移行した際の通話可能な時間を定める時間データが、固定値あるいはユーザ任意の時間に設定されて記憶される。
【００５２】
通話時間カウントデータメモリ１６ｆには、前記呼びかけモードから相互通話処理が開始されるのに伴い前記通話時間設定データメモリ１６ｅに記憶された時間データがセットされ、このセットされた時間データはカウントダウンされる。
【００５３】
図６は、前記携帯端末（携帯電話）１０Ａを発信側とし他の携帯端末（携帯電話）１０Ｂを着信側とした場合の第２実施形態の呼びかけモード処理を示すシーケンス図である。
【００５４】
この図６を参照して説明する第２実施形態の呼びかけモード処理において、前記図４を参照して説明した第１実施形態の呼びかけモード処理と同一の処理部分については、同一のステップ符号を付してその説明を省略する。
【００５５】
すなわち、発信側携帯端末１０Ａからの呼びかけ通話要求に応じて着信側携帯端末１０Ｂから呼びかけ通話要求応答が返信され、発信側端末１０Ａでは送話のみ可能、着信側端末１０Ｂでは受話のみ可能となる呼びかけ通話の回線接続状態において（ステップＡ１〜Ａ３／Ｂ１〜Ｂ３）、図５（Ｄ）で示したように、携帯端末１０Ｂに表示された［着信中：呼びかけモード］ボタンＲＣが押下されると（ステップＢ４）、携帯端末１０Ａに対して、通話開始応答が返信されると共に（ステップＢ５）、前記通話時間設定データメモリ１６ｅに記憶されている短時間通話の時間データ（例えば６０秒）が通話時間カウントデータメモリ１６ｄにセットされ、同時間データのカウントダウンを伴う相互通話処理が開始される（ステップＢ６，Ｂ７）。
【００５６】
また、携帯端末１０Ａにおいて、前記携帯端末１０Ｂからの通話開始応答が受信されると、通話時間設定データメモリ１６ｅに記憶されている短時間通話の時間データ（６０秒）が通話時間カウントデータメモリ１６ｄにセットされ、同時間データのカウントダウンを伴う相互通話処理が開始される（ステップＡ４，Ａ５）。
【００５７】
これにより、携帯端末１０Ａにおける受話動作の禁止状態と携帯端末１０Ｂにおける送話動作の禁止状態とが解除され、短時間通話の時間データ（６０秒）に制限された相互通話処理に移行され（ステップＡ５／Ｂ７）、ユーザＡ（Ｕａ）とユーザＢ（Ｕｂ）との相互通話が一定の短時間だけ可能になる。
【００５８】
この後、互いの携帯端末１０Ａ／１０Ｂにおいて、前記短時間通話の時間データ（６０秒）のカウントダウンが終了し残り時間Ｔ（＝０）になると、相手側端末１０Ｂ／１０Ａに対して相互に切断要求応答が発信され（ステップＡ６／Ｂ８）、回線切断処理が実行される（ステップＡ７／Ｂ９）。これにより携帯端末１０Ａ／１０Ｂ相互の通話回線が切断され、図示しない通話終了メッセージが表示される。
【００５９】
なお、前記図６を参照した呼びかけモード（第２実施形態）の動作説明では、ユーザＡ（Ｕａ）の携帯端末１０Ａから発信する場合について示したが、ユーザＢ（Ｕｂ）の携帯端末１０Ｂから発信する場合でも同様である。
【００６０】
したがって、前記構成のタッチパネル式携帯端末（携帯電話）１０Ａ／１０Ｂの第２実施形態の呼びかけ通話機能によれば、前記第１実施形態と同様に、相手が電話に出るまで待ち続ける必要なく、例えば朝晩や外出・帰宅時の呼びかけ（「おはよう」「おやすみ」「いってきます」「ただいま！」）ができるので、遠隔地の家族に対しても気軽にコミュニケーションを取ることができるのは勿論、［着信中：呼びかけモード］ボタンＲＣが押下され相互通話が開始されると、設定された短時間データのカウントダウン終了まで短時間に制限された相互通話が可能になる。
【００６１】
このため、発信側も着信側も、予め制限された時間内での通話であることを承知したうえで相互通話を開始できるので、例えば通話が長くなることを嫌って通話の機会が失われてしまう事態を回避でき、より気軽にコミュニケーションが図れるようになる。
【００６２】
（呼びかけモード処理：第２実施形態（変形例））
なお、前記第２実施形態の呼びかけ通話機能では、着信側端末１０Ｂでの［着信中：呼びかけモード］ボタンＲＣの押下に応じて両端末１０Ａ／１０Ｂ間での相互通話が開始されると、無条件で短時間に制限された相互通話状態に設定される構成とした。
【００６３】
これに対し、例えば図７（Ａ）に示すように、発信側携帯端末１０Ａ（１０Ｂ）の表示部１８に、通常の通話をする場合の［通常モード］ボタンＮｍと、前記第１実施形態と同様の呼びかけ通話をする場合の［呼びかけモード（通常通話）］ボタンＣｍｎとに加え、前記第２実施形態と同様に呼びかけ後の相互通話を短時間に制限する場合の［呼びかけモード（短時間通話）］ボタンＣｍｓを併せて表示させ、これを発信側のユーザＡ（Ｕａ）（又はユーザＢ（Ｕｂ））により任意に選択できる構成としてもよい。
【００６４】
この場合、図７（Ｂ）に示すように、着信側の携帯端末１０Ｂ（１０Ａ）の表示部１８には、発信側端末１０Ａ（１０Ｂ）から前記［呼びかけモード（通常通話）］ボタンＣｍｎに応じた呼びかけ通話要求（通常通話）が受信されたときには、［着信中：呼びかけモード（通常通話）］ボタンＲＣｎを表示させて前記第１実施形態と同様の呼びかけ通話処理を実行する構成とし、また、発信側端末１０Ａ（１０Ｂ）から前記［呼びかけモード（短時間通話）］ボタンＣｍｓに応じた呼びかけ通話要求（短時間通話）が受信されたときには、［着信中：呼びかけモード（短時間通話）］ボタンＲＣｓを表示させて前記第２実施形態と同様の呼びかけ通話処理を実行する構成とすればよい。
【００６５】
図７は、前記第２実施形態の呼びかけモード処理（変形例）に伴う発信側携帯端末１０Ａと着信側携帯端末１０Ｂの表示動作を示す図である。
【００６６】
（呼びかけモード処理：第３実施形態）
この第３実施形態の呼びかけ通話機能では、前記第１実施形態の呼びかけ通話機能、あるいは前記第２実施形態の呼びかけ通話機能を有する携帯端末１０Ａ（１０Ｂ）において、呼びかけ通話の要求とその応答に応じた呼びかけ通話が開始された際に、発信側の携帯端末１０Ａ（１０Ｂ）に入力された一区切りの呼びかけ音声を録音しリピートして出力する機能を付加する。
【００６７】
そして、この第３実施形態の呼びかけ通話機能では、図１に示すように、ＲＡＭ１６に確保する作業用データメモリとして、音声データメモリ１６ｇを追加する。
【００６８】
図８は、前記携帯端末（携帯電話）１０Ａを発信側とし他の携帯端末（携帯電話）１０Ｂを着信側とした場合の第３実施形態の呼びかけモード処理に伴う呼びかけ音声リピート機能（その１）を説明する図である。
【００６９】
すなわち、発信側の携帯端末１０Ａにおいて、送話動作のみの呼びかけ通話処理が確立された状態（ステップＡ１〜Ａ３）で、図８（Ａ）に示すように、音声入出力部１９から入力される呼びかけ音声（例えば「おはよう！起きてる？」「誰も居ないの〜？」）を着信側の携帯端末１０Ｂへ送信するのに伴い、発信側の携帯端末１０Ａの入力レベルを監視し、一定時間以上入力レベルが予め定められた閾値以下の場合、それまでの音声を一区切りとし、その一区切りを検出して音声データメモリ１６ｇに記憶させ、図８（Ｂ）に示すように、当該記憶した一区切りの呼びかけ音声「おはよう！起きてる？」を着信側の携帯端末１０Ｂへ予め設定された複数回（この場合は２回）繰り返し送信して出力させる。
【００７０】
これにより、発信側のユーザＡ（Ｕａ）は、着信側のユーザＢ（Ｕｂ）に対する呼びかけ音声を繰り返し発声せずとも、当該呼びかけ音声をユーザＢ（Ｕｂ）に着信音に代えて繰り返し聞かせることができ、利便性良く効果的に気軽なコミュニケーションが図れるようになる。
【００７１】
なお、前記図８を参照して説明した第３実施形態の呼びかけモード処理に伴う呼びかけ音声リピート機能（その１）では、音声データメモリ１６ｇに記憶した一区切りの呼びかけ音声を予め設定された複数回繰り返し送信する構成としたが、次の図９に示すように、繰り返しの回数を設定せず、記憶された一区切りの呼びかけ音声について、次の一区切りの呼びかけ音声が検出されて記憶されるか、又は着信側の携帯端末１０Ｂにて［着信中：呼びかけモード］ボタンＲＣが押下されるまで、連続的に繰り返し送信する構成としてもよい。
【００７２】
図９は、前記携帯端末（携帯電話）１０Ａを発信側とし他の携帯端末（携帯電話）１０Ｂを着信側とした場合の第３実施形態の呼びかけモード処理に伴う呼びかけ音声リピート機能（その２）を説明する図である。
【００７３】
したがって、前記構成のタッチパネル式携帯端末（携帯電話）１０Ａ／１０Ｂの第３実施形態の呼びかけ通話機能によれば、前記第１、第２実施形態と同様に、相手が電話に出るまで待ち続ける必要なく、例えば朝晩や外出・帰宅時の呼びかけ（「おはよう」「おやすみ」「いってきます」「ただいま！」）ができるので、遠隔地の家族に対しても気軽にコミュニケーションを取ることができるのは勿論、発信側からの呼びかけ音声のリピート送信機能を備えたので、当該呼びかけ音声を着信側ユーザＢ（Ｕｂ）に着信音に代えて繰り返し聞かせることができ、利便性良く効果的に気軽なコミュニケーションが図れるようになる。
【００７４】
なお、呼びかけ音声の一区切りを前記携帯端末（携帯電話）１０Ａの入力レベルによって検出したが、これに限らず図示しないボタン等を設け、そのボタンが押下された時点を一区切りとしてもよい。
【００７５】
なお、前記各実施形態では、通信ネットワークＮに接続された２台の通信装置（携帯端末１０Ａ／１０Ｂ）間で呼びかけ通話処理を実行する場合として説明したが、これに限定されるわけではなく、グループ通話等、３台以上の通信装置間で実行する場合でも同様に適用可能である。
【００７６】
なお、前記各実施形態では、着信側の携帯端末１０Ｂから呼びかけ通話要求応答が返信された後、ユーザの音声を入力したが、これに限定されるわけではなく、予め録音した音声を着信側の携帯端末１０Ｂに出力してもよい。
【００７７】
なお、前記各実施形態において記載した通信装置（１０Ａ／１０Ｂ）による各処理の手法、すなわち、図４のシーケンス図に示す第１実施形態の呼びかけモード処理、図６のシーケンス図に示す第２実施形態の呼びかけモード処理、図８（図９）の説明図に示す第３実施形態の呼びかけモード処理などの各手法は、何れもコンピュータに実行させることができるプログラムとして、メモリカード（ＲＯＭカード、ＲＡＭカード等）、磁気ディスク（フロッピディスク、ハードディスク等）、光ディスク（ＣＤ−ＲＯＭ、ＤＶＤ等）、半導体メモリ等の外部記憶媒体（１３）に格納して配布することができる。そして、音声通信機能を有する電子機器（１０Ａ／１０Ｂ）のコンピュータ（ＣＰＵ１１）は、この外部記憶媒体（１３）に記憶されたプログラムを記憶装置（１２）に読み込み、この読み込んだプログラムによって動作が制御されることにより、前記各実施形態において説明した呼びかけ通話機能を実現し、前述した手法による同様の処理を実行することができる。
【００７８】
また、前記各手法を実現するためのプログラムのデータは、プログラムコードの形態として通信ネットワークＮ上を伝送させることができ、この通信ネットワークＮに接続されたコンピュータ装置（プログラムサーバ２０）から前記のプログラムデータを音声通信機能を有する電子機器（１０Ａ／１０Ｂ）に取り込んで記憶装置（１２）に記憶させ、前述した呼びかけ通話機能を実現することもできる。
【００７９】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が異なる形態にして組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【００８０】
以下に、本願出願の当初の特許請求の範囲に記載された発明を付記する。
【００８１】
［１］
通話機能を備えた通信装置であって、
他の通信装置を指定して発信する発信手段と、
この発信手段による発信に応じて前記他の通信装置から返信された応答を受信する応答受信手段と、
ユーザの音声を入力する音声入力手段と、
前記応答受信手段により前記他の通信装置から返信された応答が受信された後、前記音声入力手段により入力された音声を前記他の通信装置の着信音として送信する着信音声送信手段と、
を備えたことを特徴とする通信装置。
【００８２】
［２］
通話機能を備えた通信装置であって、
他の通信装置の発信手段により発信された呼びかけ通話の要求を受信する要求受信手段と、
この要求受信手段により呼びかけ通話の要求が受信された場合に、前記他の通信装置へ当該呼びかけ通話の要求の応答を返信する呼びかけ応答返信手段と、
この呼びかけ応答返信手段により呼びかけ通話の要求の応答を返信した後に、前記他の通信装置から送信された音声を受信し着信音として出力する着信音声出力手段と、
を備えたことを特徴とする通信装置。
【００８３】
［３］
通話機能を備えた通信装置であって、
他の通信装置を指定して呼びかけ通話の要求を発信する発信手段と、
他の通信装置の発信手段により発信された呼びかけ通話の要求を受信する要求受信手段と、
この要求受信手段により呼びかけ通話の要求が受信された場合に、要求発信元の他の通信装置へ当該呼びかけ通話の要求の応答を返信する呼びかけ応答返信手段と、
他の通信装置の呼びかけ応答返信手段により返信された呼びかけ通話の要求の応答を受信する応答受信手段と、
ユーザの音声を入力する音声入力手段と、
前記応答受信手段により他の通信装置から返信された呼びかけ通話の要求の応答を受信した後に、前記音声入力手段により入力された音声を前記他の通信装置の着信音として送信する着信音声送信手段と、
前記呼びかけ応答返信手段により呼びかけ通話の要求の応答を返信した後に、前記要求発信元の他の通信装置の着信音声送信手段により送信された音声を受信し、着信音として出力する着信音声出力手段と、
を備えたことを特徴とする通信装置。
【００８４】
［４］
前記音声入力手段により入力された音声の区切りを検出する音声区切り検出手段を備え、
前記着信音声送信手段は、
前記応答受信手段により前記他の通信装置から返信された応答が受信された後、前記音声入力手段により入力された音声を前記他の通信装置の着信音として送信する入力音声送信手段と、
この入力音声送信手段により前記音声入力手段により入力された音声を前記他の通信装置の着信音として送信するのに伴い、前記音声区切り検出手段により音声の区切りが検出された一区切りの音声を記憶する音声記憶手段と、
この音声記憶手段により記憶された一区切りの音声を前記他の通信装置の着信音として繰り返し送信する繰り返し音声送信手段と、
有することを特徴とする［１］または［３］に記載の通信装置。
【００８５】
［５］
前記繰り返し音声送信手段により前記音声記憶手段により記憶された一区切りの音声を前記他の通信装置の着信音として繰り返し送信している際に、前記音声入力手段により新たな音声が入力された場合には、当該新たに入力された音声を前記入力音声送信手段により前記他の通信装置の着信音として送信する、
ことを特徴とする［４］に記載の通信装置。
【００８６】
［６］
前記呼びかけ応答返信手段は、
前記要求受信手段により呼びかけ通話の要求が受信された場合に、予め記憶された発信元情報に基づき要求発信元を認証する発信元認証手段を有し、
この発信元認証手段により要求発信元が認証された場合に、当該要求発信元の他の通信装置へ呼びかけ通話の要求の応答を返信する、
ことを特徴とする［２］または［３］に記載の通信装置。
【００８７】
［７］
通話機能を備えた通信装置のコンピュータを制御するためのプログラムであって、
前記コンピュータを、
他の通信装置を指定して発信する発信手段と、
この発信手段による発信に応じて前記他の通信装置から返信された応答を受信する応答受信手段と、
ユーザの音声を入力する音声入力手段と、
前記応答受信手段により前記他の通信装置から返信された応答が受信された後、前記音声入力手段により入力された音声を前記他の通信装置の着信音として送信する着信音声送信手段、
として機能させるためのプログラム。
【００８８】
［８］
通話機能を備えた通信装置のコンピュータを制御するためのプログラムであって、
前記コンピュータを、
他の通信装置の発信手段により発信された呼びかけ通話の要求を受信する要求受信手段と、
この要求受信手段により呼びかけ通話の要求が受信された場合に、前記他の通信装置へ当該呼びかけ通話の要求の応答を返信する呼びかけ応答返信手段と、
この呼びかけ応答返信手段により呼びかけ通話の要求の応答を返信した後に、前記他の通信装置から送信された音声を受信し着信音として出力する着信音声出力手段、
として機能させるためのプログラム。
【００８９】
［９］
通話機能を備えた通信装置のコンピュータを制御するためのプログラムであって、
前記コンピュータを、
他の通信装置を指定して呼びかけ通話の要求を発信する発信手段と、
他の通信装置の発信手段により発信された呼びかけ通話の要求を受信する要求受信手段と、
この要求受信手段により呼びかけ通話の要求が受信された場合に、要求発信元の他の通信装置へ当該呼びかけ通話の要求の応答を返信する呼びかけ応答返信手段と、
他の通信装置の呼びかけ応答返信手段により返信された呼びかけ通話の要求の応答を受信する応答受信手段と、
ユーザの音声を入力する音声入力手段と、
前記応答受信手段により他の通信装置から返信された呼びかけ通話の要求の応答を受信した後に、前記音声入力手段により入力された音声を前記他の通信装置の着信音として送信する着信音声送信手段と、
前記呼びかけ応答返信手段により呼びかけ通話の要求の応答を返信した後に、前記要求発信元の他の通信装置の着信音声送信手段により送信された音声を受信し、着信音として出力する着信音声出力手段、
として機能させるためのプログラム。
【符号の説明】
【００９０】
１０Ａ，１０Ｂ…タッチパネル式携帯端末（携帯電話）
１１  …ＣＰＵ
１２  …記憶装置
１２ａ…端末制御プログラム
１２ｂ…通常通話処理プログラム
１２ｃ…呼びかけ通話処理プログラム
１３  …外部記憶媒体
１４  …記憶媒体読み込み部
１５  …通信制御部
１６  …ＲＡＭ
１６ａ…表示データメモリ
１６ｂ…通話モードデータメモリ
１６ｃ…発信元番号データメモリ
１６ｄ…呼びかけ認証用発信元データメモリ
１６ｅ…通話時間設定データメモリ
１６ｆ…通話時間カウントデータメモリ
１６ｇ…音声データメモリ
１７  …キー入力部
１８  …タッチパネル付き表示部
１９  …音声入出力部
２０  …Ｗｅｂサーバ（プログラムサーバ）
Ｕａ  …ユーザＡ
Ｕｂ  …ユーザＢ
Ｎｍ  …［通常モード］ボタン
Ｃｍ  …［呼びかけモード］ボタン
ＲＮ  …［着信中：通常モード］ボタン
ＲＣ  …［着信中：呼びかけモード］ボタン
Ｃｍｎ…［呼びかけモード（通常通話）］ボタン
Ｃｍｓ…［呼びかけモード（短時間通話）］ボタン
ＲＣｎ…［着信中：呼びかけモード（通常通話）］ボタン
ＲＣｓ…［着信中：呼びかけモード（短時間通話）］ボタン
【図１】
2014023049.tif 000003
【図２】
2014023049.tif 000004
【図３】
2014023049.tif 000005
【図４】
2014023049.tif 000006
【図５】
2014023049.tif 000007
【図６】
2014023049.tif 000008
【図７】
2014023049.tif 000009
【図８】
2014023049.tif 000010
【図９】
2014023049.tif 000011